(57)【要約】      （修正有）【課題】機能や利便性を損なうことなく省エネ性能を向上した電気ポットを提供する。【解決手段】電気ポットは、液体を収容する容器と、容器に収容された液体の温度を検出するサーミスタ５と、マイコン２４とを有する電気ポットであって、マイコン２４は、サーミスタ５から取得したアナログ信号をＡ／Ｄ変換してデジタル信号を得るＡ／Ｄ変換動作が可能な高速モードと、Ａ／Ｄ変換動作を行わず高速モードよりも低速で動作する低速モードとを実行可能に構成され、容器に収容された液体の沸騰を行う沸騰動作の終了後に、マイコンが高速モードから低速モードへ切り換わる。【選択図】図２
2018064645.tif 000002
【特許請求の範囲】
【請求項１】
液体を収容する容器と、前記容器に収容された液体の温度を検出するサーミスタと、マイコンとを有する電気ポットであって、
前記マイコンは、
前記サーミスタから取得したアナログ信号をＡ／Ｄ変換してデジタル信号を得るＡ／Ｄ変換動作が可能な高速モードと、
前記Ａ／Ｄ変換動作を行わず前記高速モードよりも低速で動作する低速モードとを実行可能に構成され、
前記容器に収容された液体の沸騰を行う沸騰動作の終了後に、前記マイコンが前記高速モードから前記低速モードへ切り換わる電気ポット。
【請求項２】
前記容器に収容された液体の保温を行う保温動作において、前記マイコンが前記高速モードと前記低速モードとを交互に実行し、前記高速モードの時間より前記低速モードの時間の方が長い請求項１に記載の電気ポット。
【請求項３】
前記電気ポットは、前記沸騰動作の終了後に第１保温動作を行い、第１保温動作を所定時間行った後に第２保温動作を行うよう構成され、
前記第１保温動作において前記マイコンは、前記高速モードと前記低速モードとを交互に実行し、
前記第２保温動作において前記マイコンは、前記高速モードと前記低速モードとを交互に実行し、
前記第２保温動作における前記低速モードの継続時間は、前記第１保温動作における前記低速モードの継続時間よりも短い、請求項２に記載の電気ポット。
【請求項４】
前記電気ポットは、前記沸騰動作の終了後にカルキ飛ばし動作を行うよう構成され、
前記カルキ飛ばし動作において前記マイコンは、前記高速モードと前記低速モードとを交互に実行する請求項１から３のいずれか１項に記載の電気ポット。
【請求項５】
交流から直流を生成する電源回路と、前記電源回路から供給された直流を降圧する降圧回路と、保温動作の際に点灯する保温表示ＬＥＤとを有し、
前記降圧回路から前記マイコンに直流が供給され、
前記電源回路から前記保温表示ＬＥＤに直流が供給される請求項１から４のいずれか１項に記載の電気ポット。
【請求項６】
交流から直流を生成する電源回路と、前記電源回路から供給された直流を降圧する降圧回路と、カルキ飛ばし動作の際に点灯するカルキ飛ばし表示ＬＥＤとを有し、
前記降圧回路から前記マイコンに直流が供給され、
前記電源回路から前記カルキ飛ばし表示ＬＥＤに直流が供給される請求項１から５のいずれか１項に記載の電気ポット。
【請求項７】
前記マイコンは、第１入力ポートと第２入力ポートとを有し、
前記第１入力ポートに前記サーミスタが接続され、前記第２入力ポートに前記サーミスタが積分回路を介して接続され、
前記マイコンは、高速モードにおいて第１入力ポートへのアナログ信号をＡ／Ｄ変換してデジタル信号を得るＡ／Ｄ変換動作を行い、
前記低速モードにおいて第２入力ポートへのアナログ信号を監視して、所定の閾値を超える当該アナログ信号の変動があった際に、前記低速モードから前記高速モードへ切り換わるよう構成される請求項１から６のいずれか１項に記載の電気ポット。
【発明の詳細な説明】
【技術分野】
【０００１】
本発明は、電気ポットに関する。
【背景技術】
【０００２】
電源が投入されると、一旦沸騰状態まで加熱し、その後所望の保温温度で保温するように構成した電気ポットが知られている。特許文献１の電気ポットでは、湯沸かしモードにおいては、温度検出手段からの信号に基づいて容器内の湯の温度が、沸騰温度であるか否かが判断される。沸騰温度である場合、湯沸かしヒータをオフして保温モードに移行する。そして保温モードでは、温度検出手段からの信号に基づいて容器内の湯の温度が、設定された保温温度以上であるか否かが判断され、その判断に基づいて保温ヒータがオン／オフされる。
【先行技術文献】
【特許文献】
【０００３】
【特許文献１】特開２００３−２１０３２７号公報
【発明の概要】
【発明が解決しようとする課題】
【０００４】
電気ポットの省エネ性能向上のためには、断熱材の使用や、沸騰検知の高速化等が必要である。しかし断熱材の使用は材料費・重量の増加を招いてしまう。沸騰検知の高速化にはサーミスタ性能の向上や別途のサーミスタ追加が必要となり、同様に材料費の増加を招いてしまう。電気ポットの動作を制御するマイコンを低速動作させると、消費電力を削減できる一方で、機能・性能が制限されてしまうため、単なる低速動作化は採用することができない。
【０００５】
本発明は上述の課題に鑑みてなされたものであって、その目的は、機能や利便性を損なうことなく省エネ性能を向上した電気ポットを提供することにある。
【課題を解決するための手段】
【０００６】
〔構成１〕
上記目的を達成するための電気ポットの特徴構成は、液体を収容する容器と、前記容器に収容された液体の温度を検出するサーミスタと、マイコンとを有する電気ポットであって、
前記マイコンは、
前記サーミスタから取得したアナログ信号をＡ／Ｄ変換してデジタル信号を得るＡ／Ｄ変換動作が可能な高速モードと、
前記Ａ／Ｄ変換動作を行わず前記高速モードよりも低速で動作する低速モードとを実行可能に構成され、
前記容器に収容された液体の沸騰を行う沸騰動作の終了後に、前記マイコンが前記高速モードから前記低速モードへ切り換わる点にある。
【０００７】
上記の特徴構成によれば、マイコンは、サーミスタから取得したアナログ信号をＡ／Ｄ変換してデジタル信号を得るＡ／Ｄ変換動作が可能な高速モードと、Ａ／Ｄ変換動作を行わず高速モードよりも低速で動作する低速モードとを実行可能に構成されるから、マイコンを低速モードで実行することで電気ポットの消費電力を削減することができる。そして低速モードへの切り換えは容器に収容された液体の沸騰を行う沸騰動作の終了後に行われるから、沸騰検知が遅れる事態を回避しつつ消費電力を削減することができる。すなわち上記の特徴構成によれば、機能や利便性を損なうことなく省エネ性能を向上することができる。
【０００８】
〔構成２〕
本発明に係る電気ポットの別の特徴構成は、前記容器に収容された液体の保温を行う保温動作において、前記マイコンが前記高速モードと前記低速モードとを交互に実行し、前記高速モードの時間より前記低速モードの時間の方が長い点にある。
【０００９】
上記の特徴構成によれば、容器に収容された液体の保温を行う保温動作において、マイコンが高速モードと低速モードとを交互に実行し、高速モードの時間より低速モードの時間の方が長いため、より多くの消費電力を削減することができ好適である。
【００１０】
〔構成３〕
本発明に係る電気ポットの別の特徴構成は、前記電気ポットは、前記沸騰動作の終了後に第１保温動作を行い、第１保温動作を所定時間行った後に第２保温動作を行うよう構成され、
前記第１保温動作において前記マイコンは、前記高速モードと前記低速モードとを交互に実行し、
前記第２保温動作において前記マイコンは、前記高速モードと前記低速モードとを交互に実行し、
前記第２保温動作における前記低速モードの継続時間は、前記第１保温動作における前記低速モードの継続時間よりも短い点にある。
【００１１】
保温動作を長時間行うと、使用により減少した湯水を補充するために、容器に水が注がれる可能性が高くなる。上記の特徴構成によれば、第１保温動作を所定時間行った後に第２保温動作を行うよう構成され、第２保温動作における低速モードの継続時間は、第１保温動作における低速モードの継続時間よりも短いため、第２保温動作では水の補充による湯温低下を迅速に検知することが可能となる。すなわち上記の特徴構成によれば、消費電力削減を重視した第１保温動作と、温度検知機能を重視した第２保温動作とを組み合わせて行うことで、利便性と省エネ性能とを両立させることができる。
【００１２】
〔構成４〕
本発明に係る電気ポットの別の特徴構成は、前記電気ポットは、前記沸騰動作の終了後にカルキ飛ばし動作を行うよう構成され、
前記カルキ飛ばし動作において前記マイコンは、前記高速モードと前記低速モードとを交互に実行する点にある。
【００１３】
上記の特徴構成によれば、電気ポットは、沸騰動作の終了後にカルキ飛ばし動作を行うよう構成され、カルキ飛ばし動作においてマイコンは、高速モードと低速モードとを交互に実行するため、カルキ飛ばし動作中の消費電力を削減して省エネ性能を向上することができ好ましい。
【００１４】
〔構成５〕
本発明に係る電気ポットの別の特徴構成は、交流から直流を生成する電源回路と、前記電源回路から供給された直流を降圧する降圧回路と、保温動作の際に点灯する保温表示ＬＥＤとを有し、前記降圧回路から前記マイコンに直流が供給され、前記電源回路から前記保温表示ＬＥＤに直流が供給される点にある。
【００１５】
上記の特徴構成によれば、電源回路から保温表示ＬＥＤに直流が供給されるため、降圧回路を介して保温表示ＬＥＤに直流が供給される場合に比べて消費電力を削減することができ好適である。
【００１６】
〔構成６〕
本発明に係る電気ポットの別の特徴構成は、交流から直流を生成する電源回路と、前記電源回路から供給された直流を降圧する降圧回路と、カルキ飛ばし動作の際に点灯するカルキ飛ばし表示ＬＥＤとを有し、前記降圧回路から前記マイコンに直流が供給され、前記電源回路から前記カルキ飛ばし表示ＬＥＤに直流が供給される点にある。
【００１７】
上記の特徴構成によれば、電源回路からカルキ飛ばし表示ＬＥＤに直流が供給されるため、降圧回路を介してカルキ飛ばし表示ＬＥＤに直流が供給される場合に比べて消費電力を削減することができ好適である。
【００１８】
〔構成７〕
本発明に係る電気ポットの別の特徴構成は、前記マイコンは、第１入力ポートと第２入力ポートとを有し、
前記第１入力ポートに前記サーミスタが接続され、前記第２入力ポートに前記サーミスタが積分回路を介して接続され、
前記マイコンは、高速モードにおいて第１入力ポートへのアナログ信号をＡ／Ｄ変換してデジタル信号を得るＡ／Ｄ変換動作を行い、
前記低速モードにおいて第２入力ポートへのアナログ信号を監視して、所定の閾値を超える当該アナログ信号の変動があった際に、前記低速モードから前記高速モードへ切り換わるよう構成される点にある。
【００１９】
上記の特徴構成によれば、マイコンの第１入力ポートにサーミスタが接続され、第２入力ポートにサーミスタが積分回路を介して接続され、マイコンが低速モードにおいて第２入力ポートへのアナログ信号を監視して、所定の閾値を超える当該アナログ信号の変動があった際に、低速モードから高速モードへ切り換わるよう構成されるため、低速モードにおいても急激な温度変化があった際にマイコンを高速モードへ切り換えて対処することができる。すなわち上記の特徴構成によれば、低速モードでの消費電力の削減と、高速モードへの切り換えによる高機能動作とを両立することができ好適である。
【図面の簡単な説明】
【００２０】
【図１】電気ポットの概要を示す概略図
【図２】電気ポットの電源・制御回路の概要を示す説明図
【図３】電気ポットで行われる沸騰動作・カルキ飛ばし動作の概要を示すフローチャート
【図４】電気ポットで行われる保温動作の概要を示すフローチャート
【発明を実施するための形態】
【００２１】
以下、本実施形態に係る電気ポット１について図面に基づいて説明する。図１に示す電気ポット１は、本体１ａ、蓋体２、容器３、湯沸かしヒータ４ａ、保温ヒータ４ｂ、サーミスタ５、吐出口６、吐出管７、電動ポンプ８、操作表示パネル９および制御部１０を有して構成される。
【００２２】
蓋体２は、本体１ａに開閉自在に取り付けられている。容器３は本体１ａの内部に設けられた、湯水を収容する縦長の容器である。湯沸かしヒータ４ａは、容器３の底面の外側に配置された、容器３に収容された湯水を加熱して沸騰させる電気ヒータである。保温ヒータ４ｂは、容器３の底面の外側に配置された、容器３に収容された湯水を加熱して保温する電気ヒータである。サーミスタ５は、容器３の側面の外側に配置された、容器３に収容された湯水の温度を検出する手段である。
【００２３】
前記容器３の底から前記容器３の内部と連通し前記容器３の前側の側壁に沿って立ち上がり前記本体１ａの肩部に形成された吐出口６に至る吐出管７が接続されている。前記吐出管７の下部には、前記容器３内の湯を吐出する吐出手段である電動ポンプ８を有している。本体１ａの前側肩部には、操作表示パネル９が設けられている。操作表示パネル９には、カルキ飛ばし動作中であることを示すカルキ飛ばし表示ＬＥＤ９ａと、保温動作中であることを示す保温表示ＬＥＤ９ｂとが設けられている。
【００２４】
制御部１０は、湯沸かしヒータ４ａ、保温ヒータ４ｂ、電動ポンプ８、操作表示パネル９、カルキ飛ばし表示ＬＥＤ９ａおよび保温表示ＬＥＤ９ｂに電力を供給し、またこれらの動作制御を行う。制御部１０は、沸騰制御部１０ａおよび保温制御部１０ｂを有する。沸騰制御部１０ａは、湯沸かしヒータ４ａを制御して、容器３に収容された湯水の沸騰を制御する。保温制御部１０ｂは、保温ヒータ４ｂを制御して、容器３に収容された湯水の保温を制御する。
【００２５】
制御部１０は、図２に示す回路を有して構成される。交流電源２１は、例えばＡＣ１００Ｖの家庭用電源であり、交流を電源回路２２へ供給する。電源回路２２は、交流電源２１により供給された交流から、直流（例えば、ＤＣ１２Ｖ）を生成する。降圧回路２３は、電源回路２２から供給された直流を降圧して、直流（例えば、ＤＣ５Ｖ）を生成する。降圧回路２３は、マイコン２４へ直流を供給する。
【００２６】
電源回路２２で生成された直流（ＤＣ１２Ｖ）は、図２に示すように、カルキ飛ばし表示ＬＥＤ９ａおよび保温表示ＬＥＤ９ｂに供給される。カルキ飛ばし表示ＬＥＤ９ａは、トランジスタ２５により点灯／消灯される。保温表示ＬＥＤ９ｂは、トランジスタ２６により点灯／消灯される。
【００２７】
マイコン２４は、第１出力ポートＰＯ１、第２出力ポートＰＯ２、第１入力ポートＰＩ１、第２入力ポートＰＩ２および第３入力ポートＰＩ３を有して構成される。第１出力ポートＰＯ１にトランジスタ２５が接続され、第２出力ポートＰＯ２にトランジスタ２６が接続される。これによりマイコン２４は、第１出力ポートＰＯ１および第２出力ポートＰＯ２の出力によって、カルキ飛ばし表示ＬＥＤ９ａおよび保温表示ＬＥＤ９ｂの点灯／消灯を制御する。
【００２８】
第１入力ポートＰＩ１には、サーミスタ５が接続される。マイコン２４は、サーミスタ５から第１入力ポートＰＩ１へのアナログ信号をＡ／Ｄ変換して、容器３の湯水の温度に係るデジタル信号を得る。このＡ／Ｄ変換動作は、後述するマイコン２４の高速モードで行われる。
【００２９】
第２入力ポートＰＩ２には、サーミスタ５が積分回路２７を介して接続される。積分回路２７を介することで、サーミスタ５からの信号が積分されて第２入力ポートＰＩ２に入力される。
【００３０】
第３入力ポートＰＩ３には、操作表示パネル９が接続される。すなわち、操作表示パネル９に対して入力された沸騰開始、保温温度設定等の操作が、第３入力ポートＰＩ３を通じてマイコン２４へ入力される。
【００３１】
本実施形態に係るマイコン２４は、高速モードと低速モードとを切り換えて実行することが可能なように構成される。高速モードは、全ての機能を利用することができ高速で動作する。低速モードは、高速モードに比べて低速で動作し、一部の機能が制限される。低速モードでのマイコン２４の消費電力は、高速モードに比べて小さい。上述のＡ／Ｄ変換動作は、高速モードで行うことができ、低速モードでは実行されない。
【００３２】
第２入力ポートＰＩ２および第３入力ポートＰＩ３への入力の監視は、高速モードと低速モードの両方で行われる。本実施形態に係る電気ポット１では、低速モードの実行中に第２入力ポートＰＩ２および第３入力ポートＰＩ３への入力を監視する。そして、第２入力ポートＰＩ２へのアナログ信号に、所定の閾値を超える変動があった際に、マイコン２４の動作を低速モードから高速モードへ切り換えるよう、マイコン２４が構成されている。また、第３入力ポートＰＩ３に入力があった際、すなわち操作表示パネル９への操作があった際に、マイコン２４の動作を低速モードから高速モードへ切り換えるよう、マイコン２４が構成されている。
【００３３】
次に図３を参照して、電気ポット１で行われる沸騰動作およびカルキ飛ばし動作について説明する。
【００３４】
容器３に水が満たされ、電気ポット１に通電されると、沸騰動作が開始される。具体的には、沸騰制御部１０ａによる湯沸かしヒータ４ａへの通電と、サーミスタ５を用いた湯水の温度検出が開始される。このとき、沸騰完了を迅速に検知するため、マイコン２４では高速モードが実行される。そしてステップ＃Ｓ１０１へ進む。
【００３５】
ステップ＃Ｓ１０１では、サーミスタ５が検出する容器３の水の温度が所定の閾値（例えば、１００℃）を越えると、沸騰を完了する。そしてステップ＃Ｓ１０２へ進む。
【００３６】
ステップ＃Ｓ１０２では、カルキ飛ばし動作が開始される。具体的には、所定の時間（カルキ飛ばし時間、例えば、３分）湯水の温度を所定の温度（例えば、９５℃）に保つよう、湯沸かしヒータ４ａへの通電を制御する。併せて、カルキ飛ばし動作の経過時間の計測が開始される。そしてステップ＃Ｓ１０３へ進む。
【００３７】
ステップ＃Ｓ１０３では、マイコン２４で低速モードが実行される。これによりマイコン２４でのサーミスタ５の信号のＡ／Ｄ変換動作が停止する。すなわち本実施形態の電気ポット１では、容器３に収容された液体の沸騰を行う沸騰動作の終了後に、マイコン２４が高速モードから低速モードへ切り換わる。このとき、低速モードの実行時間の計測が開始される。そしてステップ＃Ｓ１０４へ進む。
【００３８】
ステップ＃Ｓ１０４では、低速モードの実行を開始してからの時間が、所定の継続時間（例えば、５秒）を経過したか否かを確認する。低速モードの実行時間が継続時間を経過した場合（ステップ＃Ｓ１０４：Ｙｅｓ）、ステップ＃Ｓ１０５へ進む。低速モードの実行時間が継続時間を経過していない場合（ステップ＃Ｓ１０４：Ｎｏ）、ステップ＃Ｓ１０４を再び実行する。
【００３９】
ステップ＃Ｓ１０５では、マイコン２４で高速モードが実行される。つまり、マイコン２４が低速モードから高速モードへ切り換わる。そしてステップ＃Ｓ１０６へ進む。
【００４０】
ステップ＃Ｓ１０６では、サーミスタ５からの温度の読み込みが行われる。すなわち、マイコン２４で第１入力ポートＰＩ１へのサーミスタ５からのアナログ信号のＡ／Ｄ変換が行われ、容器３の湯水の温度（デジタル信号）が取得される。そして、取得された湯水の温度に基づいて、湯沸かしヒータ４ａの制御が行われる。そしてステップ＃Ｓ１０７へ進む。
【００４１】
ステップ＃Ｓ１０７では、カルキ飛ばし動作を開始してからの時間が、所定の時間（カルキ飛ばし時間、例えば、３分）を経過したか否かを確認する。低速モードの実行時間がカルキ飛ばし時間を経過した場合（ステップ＃Ｓ１０７：Ｙｅｓ）、カルキ飛ばし動作を終了する。低速モードの実行時間が継続時間を経過していない場合（ステップ＃Ｓ１０７：Ｎｏ）、ステップ＃Ｓ１０３へ戻る。
【００４２】
以上のようにして、電気ポット１での沸騰動作およびカルキ飛ばし動作が行われる。つまり本実施形態に係る電気ポット１では、沸騰動作の終了後にカルキ飛ばし動作を行うよう構成され、カルキ飛ばし動作においてマイコン２４は、高速モードと低速モードとを交互に実行する（ステップ＃Ｓ１０３および＃Ｓ１０５）。
【００４３】
次に図４を参照して、電気ポット１で行われる保温動作（第１保温動作および第２保温動作）について説明する。保温動作は、上述した沸騰動作およびカルキ飛ばし動作の終了後に行われる。
【００４４】
ステップ＃Ｓ２０１では、第１保温動作が開始される。第１保温動作の経過時間の計測が開始される。そしてステップ＃Ｓ２０２へ進む。
【００４５】
ステップ＃Ｓ２０２では、マイコン２４で低速モードが実行される。これによりマイコン２４でのサーミスタ５の信号のＡ／Ｄ変換動作が停止する。低速モードの実行時間の計測が開始される。そしてステップ＃Ｓ２０３へ進む。
【００４６】
ステップ＃Ｓ２０３では、低速モードの実行を開始してからの時間が、所定の時間（第１継続時間、例えば、１０秒）を経過したか否かを確認する。低速モードの実行時間が第１継続時間を経過した場合（ステップ＃Ｓ２０３：Ｙｅｓ）、ステップ＃Ｓ２０４へ進む。低速モードの実行時間が第１継続時間を経過していない場合（ステップ＃Ｓ２０３：Ｎｏ）、ステップ＃Ｓ２０３を再び実行する。
【００４７】
ステップ＃Ｓ２０４では、マイコン２４で高速モードが実行される。つまり、マイコン２４が低速モードから高速モードへ切り換わる。そしてステップ＃Ｓ２０５へ進む。
【００４８】
ステップ＃Ｓ２０５では、サーミスタ５からの温度の読み込みが行われる。すなわち、マイコン２４で第１入力ポートＰＩ１へのサーミスタ５からのアナログ信号のＡ／Ｄ変換が行われ、容器３の湯水の温度（デジタル信号）が取得される。そして、取得された湯水の温度に基づいて、保温ヒータ４ｂの制御が行われる。そしてステップ＃Ｓ２０６へ進む。
【００４９】
ステップ＃Ｓ２０６では、第１保温動作を開始してからの時間が、所定の時間（第１保温動作時間、例えば、１時間）を経過したか否かを確認する。第１保温動作の実行時間が第１保温動作時間を経過した場合（ステップ＃Ｓ２０６：Ｙｅｓ）、第１保温動作を終了してステップ＃Ｓ２０７へ進む。第１保温動作の実行時間が第１保温動作時間を経過していない場合（ステップ＃Ｓ２０６：Ｎｏ）、ステップ＃Ｓ２０２へ戻る。
【００５０】
ステップ＃Ｓ２０７では、第２保温動作が開始される。第２保温動作の経過時間の計測が開始される。そしてステップ＃Ｓ２０８へ進む。
【００５１】
ステップ＃Ｓ２０８では、マイコン２４で低速モードが実行される。これによりマイコン２４でのサーミスタ５の信号のＡ／Ｄ変換動作が停止する。低速モードの実行時間の計測が開始される。そしてステップ＃Ｓ２０９へ進む。
【００５２】
ステップ＃Ｓ２０９では、低速モードの実行を開始してからの時間が、所定の時間（第２継続時間、例えば、５秒）を経過したか否かを確認する。なお第２保温動作における低速モードの継続時間は、第１保温動作における低速モードの継続時間よりも短かく設定される。低速モードの実行時間が第２継続時間を経過した場合（ステップ＃Ｓ２０９：Ｙｅｓ）、ステップ＃Ｓ２１０へ進む。低速モードの実行時間が第２継続時間を経過していない場合（ステップ＃Ｓ２０９：Ｎｏ）、ステップ＃Ｓ２０９を再び実行する。
【００５３】
ステップ＃Ｓ２１０では、マイコン２４で高速モードが実行される。つまり、マイコン２４が低速モードから高速モードへ切り換わる。そしてステップ＃Ｓ２１１へ進む。
【００５４】
ステップ＃Ｓ２１１では、サーミスタ５からの温度の読み込みが行われる。すなわち、マイコン２４で第１入力ポートＰＩ１へのサーミスタ５からのアナログ信号のＡ／Ｄ変換が行われ、容器３の湯水の温度（デジタル信号）が取得される。そして、取得された湯水の温度に基づいて、保温ヒータ４ｂの制御が行われる。そしてステップ＃Ｓ２０８へ戻り、第２保温動作が継続される。
【００５５】
以上のようにして、電気ポット１での保温動作が行われる。つまり本実施形態に係る電気ポット１では、上述した沸騰動作およびカルキ飛ばし動作の終了後に第１保温動作を行い、第１保温動作を所定時間（第１保温動作時間）行った後に第２保温動作を行うよう構成されている。第１保温動作および第２保温動作においてマイコン２４は、高速モードと低速モードとを交互に実行し、そして第２保温動作における低速モードの継続時間（第２継続時間）は、第１保温動作における低速モードの継続時間（第１継続時間）よりも短い。
【００５６】
＜他の実施形態＞
（１）上述の実施形態では、沸騰動作の後にカルキ飛ばし動作が行われるが、沸騰動作の後にカルキ飛ばし動作を行わずに保温動作を行うよう、電気ポット１を構成してもよい。その場合であっても、容器３に収容された液体の沸騰を行う沸騰動作の終了後に、マイコン２４が高速モードから低速モードへ切り換わる（ステップ＃Ｓ２０２）といえる。
【００５７】
（２）上述の実施形態では、第１保温動作の後に第２保温動作が行われるが、第２保温動作を行わず第１保温動作を継続するよう電気ポット１を構成することも可能である。また、第２保温動作を所定時間行った後に、低速モードの継続時間が更に短い第３保温動作を行うよう、電気ポット１を構成してもよい。
【００５８】
上述の実施形態で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００５９】
１      ：電気ポット
１ａ    ：本体
２      ：蓋体
３      ：容器
４ａ    ：湯沸しヒータ
４ｂ    ：保温ヒータ
５      ：サーミスタ
６      ：吐出口
７      ：吐出管
８      ：電動ポンプ
９      ：操作表示パネル
１０    ：制御部
１０ａ  ：沸騰制御部
１０ｂ  ：保温制御部
２１    ：交流電源
２２    ：電源回路
２３    ：降圧回路
２４    ：マイコン
２５    ：トランジスタ
２６    ：トランジスタ
２７    ：積分回路
【図１】
2018064645.tif 000003
【図２】
2018064645.tif 000004
【図３】
2018064645.tif 000005
【図４】
2018064645.tif 000006